(57)【要約】【課題】  パッケージ型空気調和機など小型空調機から室内に給気する際に、ダクトを室内の広域に施工せずに、冷風や温風を拡散させて給気可能な給気チャンバを提供する。【解決手段】  平面が六角形状のボックス部２と、ボックス部２の側面板２ａに配設され、天井吊下式のＰＡＣと接続するための接続口３と、ボックス部２の側面板２ｂ、２ｃ、２ｄ、２ｅ、２ｆに配設され、室内へ空気を吹き出す複数のバンカールーバで構成された吹出口４と、ボックス部２の内側に配設され、接続口３から流入した空気を、複数の吹出口２へ均等に分岐するようにボックス部２の内側を区画して流路を形成するガイドベーン５と、を備えることを特徴とする。【選択図】  図１
2014126347.tif 000002
【特許請求の範囲】
【請求項１】
平面が多角形状のボックス部と、
前記ボックス部の一側面に配設され、天井吊下式の空調機器と接続するための接続口と、
前記ボックス部の複数の他の側面に配設され、室内へ空気を吹き出す吹出口と、
前記ボックス部の内側に配設され、前記接続口から流入した空気を、前記複数の吹出口へ均等に分岐するように前記ボックス部の内側を区画して流路を形成するガイドベーンと、
を備えることを特徴とする給気チャンバ。
【請求項２】
前記吹出口は、バンカールーバで構成されており、
前記ガイドベーンによって区画された流路であって前記接続口と隣接する前記側面には、前記吹出口が一つずつ配設され、前記ガイドベーンによって区画された流路であって前記接続口と離接した前記側面には、前記吹出口が複数配設されている、
ことを特徴とする請求項１に記載の給気チャンバ。
【請求項３】
前記ボックス部の底面に室内へ空気を吹き出し、シャッタを備える下方吹出口、を備えることを特徴とする請求項１または２に記載の給気チャンバ。
【発明の詳細な説明】
【技術分野】
【０００１】
この発明は、パッケージ型空気調和機など小型空調機から室内に給気する給気チャンバに関する。
【背景技術】
【０００２】
従来、パッケージ型空気調和機（ＰＡＣ）やファンコイルユニットなどの小型空調機を、例えば、店舗などの露出天井に配設する場合は、図６に示すように、ＰＡＣから複数のスパイラルダクト１２１〜１２７によって、空調エリアの広域に冷風や温風を拡散させている。具体的には、まず、ＰＡＣが露出天井に吊り込まれ、下流側に給気チャンバ１１０が接続される。そして、給気チャンバ１１０から空調エリアの所定の位置までスパイラルダクト１２１〜１２７が施工される。そして、スパイラルダクト１２１〜１２７の先端に吹出口１３１〜１３７が接続される。このようにして、吹出口１３１〜１３７によって気流ｆ１１〜ｆ１７が形成される。
【０００３】
このように、冷風や温風を拡散させるために、室内の広域にスパイラルダクト１２１〜１２７を施工する必要があるので、スパイラルダクト１２１〜１２７が長尺となり施工費用が増加する。具体的には例えば、１０ｍ２のエリアに給気を分散させるためには、スパイラルダクト１２１〜１２７（２５０Φ）の全長は数ｋｍとなる。また、スパイラルダクト１２１〜１２７が長尺となるので、流路において冷風や温風を保温するために、スパイラルダクト１２１〜１２７の外周に断熱材を施工する必要があるため、コストが増加する。さらに、施工されたスパイラルダクト１２１〜１２７によって吹出口１３１〜１３７の位置が固定されてしまう。このため、例えば、テナントの改装によってレイアウトが変更された場合であっても、吹出口１３１〜１３７の位置を変更することが困難であり、空調設備の改修工事が必要となってしまう。
【０００４】
ところで、ダクトを使用しないで調整空気を室内の要所に配風する室内空気調和用配風装置に関する技術が知られている（例えば、特許文献１参照。）。また、吹出口からの吹出方向を切り替え可能な大空間用送風ユニットに関する技術が知られている（例えば、特許文献２参照。）。
【先行技術文献】
【特許文献】
【０００５】
【特許文献１】実公昭６０−０１５０４８号公報
【特許文献２】特開２００７−１９２５３０号公報
【発明の概要】
【発明が解決しようとする課題】
【０００６】
しかしながら、特許文献１に記載の技術では、ダクトを使用しないかわりに、中継分配送風器と末端送風器とが必要である。また、特許文献２に記載の技術では、吐出口がチャンバの吸込口と対向する前側板側に配設されているため、送風ユニットからの噴流の吐出方向が一方向に偏ってしまう。
【０００７】
この発明は、前記の課題を解決し、パッケージ型空気調和機など小型空調機から室内に給気する際に、ダクトを室内の広域に施工せずに、冷風や温風を拡散させて給気可能な給気チャンバを提供することを目的としている。
【課題を解決するための手段】
【０００８】
前記の課題を解決するために、請求項１の発明は、平面が多角形状のボックス部と、前記ボックス部の一側面に配設され、天井吊下式の空調機器と接続するための接続口と、前記ボックス部の複数の他の側面に配設され、室内へ空気を吹き出す吹出口と、前記ボックス部の内側に配設され、前記接続口から流入した空気を、前記複数の吹出口へ均等に分岐するように前記ボックス部の内側を区画して流路を形成するガイドベーンと、を備えることを特徴とする給気チャンバである。
【０００９】
この発明によれば、ボックス部の接続口から流入した空気は、ガイドベーンによって複数の吹出口へ均等に分岐されて、室内へ吹き出される。
【００１０】
請求項２の発明は、請求項１に記載の給気チャンバにおいて、前記吹出口は、バンカールーバで構成されており、前記ガイドベーンによって区画された流路であって前記接続口と隣接する前記側面には、前記吹出口が一つずつ配設され、前記ガイドベーンによって区画された流路であって前記接続口と離接した前記側面には、前記吹出口が複数配設されている、ことを特徴とする。
【００１１】
請求項３の発明は、請求項１または２に記載の給気チャンバにおいて、前記ボックス部の底面に室内へ空気を吹き出し、シャッタを備える下方吹出口、を備えることを特徴とする。
【発明の効果】
【００１２】
請求項１に記載の発明によれば、ボックス部の接続口から流入した空気を、ボックス部の内側を区画して流路を形成するガイドベーンによって複数の吹出口へ均等に分岐するので、室内へ空気を適切に吹き出すことができる。すなわち、パッケージ型空気調和機など小型空調機から室内に給気する際に、ダクトを室内の広域に施工せずに、冷風や温風を拡散させて給気可能である。
【００１３】
請求項２に記載の発明によれば、吹出口がバンカールーバで構成されているので、手動で吹出方向を変えることができる。このため、局部的な送風が可能となり、室内のレイアウトなどに合わせて、改修工事をすることなく、吹出方向を自由に調節することができる。また、ガイドベーンによって区画された流路であって接続口と隣接する側面には吹出口が一つずつ配設され、接続口と離接した側面には吹出口が複数配設されているので、吹出口からの流量を均等にすることができる。
【００１４】
請求項３に記載の発明によれば、シャッタを備える下方吹出口によって、給気チャンバの下側にも風量を調節しながら送風することができる。このため、室内の広域に冷風や温風を吹き出すことができる。これにより、給気チャンバの下側に空調エリアが位置する場合であっても、送風することができる。
【図面の簡単な説明】
【００１５】
【図１】この発明の実施の形態１に係る給気チャンバの平面図である。
【図２】図１の給気チャンバの側面図である。
【図３】図１の給気チャンバの送風状態を示す平面図である。
【図４】この発明の実施の形態２に係る給気チャンバの平面図である。
【図５】図４の給気チャンバの側面図である。
【図６】従来の給気チャンバの送風状態を示す平面図である。
【発明を実施するための形態】
【００１６】
以下、この発明を図示の実施の形態に基づいて説明する。
【００１７】
（実施の形態１）
図１ないし図３は、この発明の実施の形態１を示している。給気チャンバ１は、パッケージ型空気調和機（ＰＡＣ）の室内機と接続され、室内に給気するものであり、図１に示すように、主として、ボックス部２と、接続口３と、吹出口４と、ガイドベーン５とを備えている。
【００１８】
ボックス部２は、図１、図２に示すように、六角形状の上面板２ｇおよび底面板２ｈと側面板２ａ、２ｂ、２ｃ、２ｄ、２ｅ、２ｆによって、平面が六角形状に形成されている。この六角形状は、平面視において、接続口３との接続部と平行に延びる、すなわち、奥行き方向に延びる第１の辺と、第１の辺の手前側端部から直角に左水平方向（接続口３から離接する方向）に延びる第２の辺と、第１の辺の奥行側端部から直角に左水平方向（接続口３から離接する方向）に第２の辺と平行に延びる第３の辺と、第２の辺の左端から左奥行き方向（接続口３から離接する方向）に延びる第４の辺と、第３の辺の左端から左手前方向（接続口３から離接する方向）に延びる第５の辺と、第４の辺の左端と第５の辺の左端との間に第１の辺と平行に延びる第６の辺とによって構成されている。側面板２ａ、２ｂ、２ｃ、２ｄ、２ｅ、２ｆの長さは、上面板２ｇ、底面板２ｈの各辺の長さと同じで、所定の高さを有する長方形状に形成されている。側面板２ａと２ｄ、側面板２ｂと２ｆはそれぞれ平行に配設され、側面板２ｃと２ｅは線対称に配設されている。また、側面板２ａ、２ｄと側面板２ｂ、２ｆとは、それ自体またはその延長線において直交するように配設されている。さらに、図１に示すように、側面板２ａには、接続口３が配設され、側面板２ｂ、２ｃ、２ｄ、２ｅ、２ｆには、後述する吹出口４が配設されている。また、この実施の形態では、ボックス部２は板厚１．０ｔの板材を加工して形成されている。
【００１９】
接続口３は、ボックス部２の一側面、すなわち、側面板２ａに配設され、ＰＡＣと接続するためのものであり、断面が四角形の筒状に形成た短管で、両開口端にフランジが形成されている。接続口３は、側面板２ａの幅方向の略中央部に配設されており、図２に示すように、その中心高さが側面板２ａの高さ方向の中央より上方、ここでは１／１０程度上方となるように配設されている。接続口３は、ＰＡＣから冷風や温風を取り込み、ボックス２へ供給するようになっている。
【００２０】
吹出口４は、ガイドベーンによって区画された流路における流入方向に対して直交する側面に一つずつ配設され、流路における流入方向の側面に複数が配設されたものである。具体的には、吹出口４は、図１に示すように、ボックス部２の他の側面、すなわち、側面板２ｂ、２ｃ、２ｄ、２ｅ、２ｆに配設され、室内へ空気を吹き出すものであり、結露防止可能なバンカールーバで構成されている。吹出口４は、吹出しノズルが可動であるため、吹出方向を調節自在となっている。この実施の形態では、側面板２ｂに吹出口４１、４２が配設され、側面板２ｃに吹出口４３が配設され、側面板２ｄに吹出口４４が配設され、側面板２ｅに吹出口４５が配設され、側面板２ｆに吹出口４６、４７が配設されている。図３に示すように、吹出口４１による気流ｆ１が、室内の右前方に吹き出され、吹出口４２による気流ｆ２が、室内の前方に吹き出される。また、吹出口４３による気流ｆ３が、室内の左前方に吹き出され、吹出口４４による気流ｆ４が、室内の左側方に吹き出され、吹出口４５による気流ｆ５が、室内の左後方に吹き出される。さらに、吹出口４６による気流ｆ６が、室内の後方に吹き出され、吹出口４７による気流ｆ７が、室内の右後方に吹き出される。このように、吹出口４は、室内の広域に空気を吹き出すようになっている。また、吹出口４は、図２に示すように、側面板２ｂ、２ｃ、２ｄ、２ｅ、２ｆの高さ方向の略中央部に配設されている。
【００２１】
ガイドベーン５は、ボックス部２の内側に配設され、ボックス部２の内側を区画して流路を形成することによって、接続口３から流入した空気を、複数の吹出口４へ均等に分岐するものである。ガイドベーン５は、板状材で構成されており、ボックス部２内の高さと同じ高さを有している。ガイドベーン５１は、一端側が側面板２ａの接続口３との接続部の手前側に配設され、他端側が側面板２ｂの略中央部に配設されている。ガイドベーン５１によって、接続口３から流入した空気の一部が吹出口４１に案内されるようになっている。ガイドベーン５２は、一端側が側面板２ａに配設されたガイドベーン５１より奥行き側に配設され、他端側が側面板２ｂの側面板２ｃ側端部（左端部）に配設されている。ガイドベーン５２によって、接続口３から流入した空気の一部が吹出口４２に案内されるようになっている。ガイドベーン５３は、一端側が側面板２ａの接続口３との接続部の奥行き側に配設され、他端側が側面板２ｆの略中央部に配設されている。ガイドベーン５３によって、接続口３から流入した空気の一部が吹出口４７に案内されるようになっている。ガイドベーン５４は、一端側が側面板２ａに配設されたガイドベーン５２より奥行き側、ガイドベーン５３より手前側に配設され、他端側が側面板２ｆの側面板２ｅ側端部（左端部）に配設されている。ガイドベーン５４によって、接続口３から流入した空気の一部が吹出口４６に案内されるようになっている。このように、ガイドベーン５は、ボックス部２の内側で空気流路を区画するものであり、接続口３から流入した空気をＰＡＣ側から反対側、すなわち、接続口３から離接する方向に搬送するようになっている。また、この実施の形態では、ガイドベーン５は板厚１．２ｔの板材を加工して形成されている。
【００２２】
このようなガイドベーン５１、５３が接続口３端部から給気を受けると、その給気は流入方向の対面に衝突して方向変換した後に側方に押し出される。また、ガイドベーン５２、５４が接続口３端部寄りから給気を受けると、その給気は直進後に流路に沿って拡大する。また、吹出口４３〜４５が配設された区画は、接続口３中央から給気を受けると、その給気は流路に沿って均等方向に拡大する。
【００２３】
次に、このような構成の給気チャンバ１の使用方法および作用について説明する。
【００２４】
まず、工場において、給気チャンバ１が組み立てられて、現場に運搬される。
【００２５】
そして、露出天井に吊り込まれたＰＡＣに、給気チャンバ１の接続口３がフランジを介してボルトによって接続され、外周底面に保温材が貼付される。また、室内のレイアウトに合わせて、吹出口４の角度が調節されて、気流ｆの吹出方向が調節される。給気チャンバ１によって、図３に示すように、吹出口４１による気流ｆ１が、室内の右前方に吹き出され、吹出口４２による気流ｆ２が、室内の前方に吹き出される。また、吹出口４３による気流ｆ３が、室内の左前方に吹き出され、吹出口４４による気流ｆ４が、室内の左側方に吹き出され、吹出口４５による気流ｆ５が、室内の左後方に吹き出される。さらに、吹出口４６による気流ｆ６が、室内の後方に吹き出され、吹出口４７による気流ｆ７が、室内の右後方に吹き出される。
【００２６】
また、例えば、室内のレイアウト変更にともなって空調エリアを変更したい場合は、吹出口４の角度が調節されて、気流ｆの吹出方向が変更される。そして、吹出口４３の吹出しノズルが動かされて、気流ｆ３が気流ｆ２側に変更され、吹出口４５の吹出しノズルが動かされて、気流ｆ５が気流ｆ６側に変更されたりする。
【００２７】
以上のように、この実施の形態に係る発明によれば、ＰＡＣから、ボックス部２の接続口３を介して流入した空気を、ガイドベーン５によって複数の吹出口４へ均等に分岐して、室内へ空気を吹き出すことができる。すなわち、ＰＡＣから室内に給気する際に、ダクトを室内の広域に施工せずに、冷風や温風を拡散させて給気可能である。これにより、材料費やダクトの配設費用を含むコストを削減できる。また、ボックス部２は、ガイドベーン５が配設されていることにより、内側から補強される。
【００２８】
また、吹出口４がバンカールーバで構成されているので、手動で吹出方向を変えることができる。このため、局部的な送風が可能となり、室内のレイアウトなどに合わせて、改修工事をすることなく、吹出方向を自由に調節することができる。
【００２９】
また、ボックス部２が六角形状であり、吹出口４は側面板２ｂ、２ｃ、２ｄ、２ｅ、２ｆに配設されているので、簡易な構成でありながら、図３に示すように室内の広域に気流ｆを到達させることができる。すなわち、接続口３と隣接する側面２ｂ、２ｆには吹出口４１、４２、４６、４７が流路ごとに一つずつ配設され、接続口３と離接した側面２ｃ、２ｄ、２ｅには複数の吹出口４４、４５、４６が配設されているので、各吹出口４からの流量を均等にすることができる。
【００３０】
また、吹出口４は結露防止可能なバンカールーバで構成されているので、露出天井への施工にも適している。
【００３１】
（実施の形態２）
図４、図５は、この発明の実施の形態２を示している。この実施の形態の給気チャンバ１０は、ボックス部２の形状と、吹出口６の配置と、下方吹出口７が、実施の形態１の給気チャンバ１と異なる。このため、実施の形態１と同等の構成については、同一または対応する符号を付することで、その説明を省略する。
【００３２】
吹出口６は、図４に示すように、側面板２ｂに吹出口６１、６２が配設され、側面板２ｃに吹出口６３が配設され、側面板２ｄに吹出口６４、６５が配設され、側面板２ｅに吹出口６６が配設され、側面板２ｆに吹出口６７、６８が配設されている。吹出口６は、図５に示すように、側面板２ｂ、２ｃ、２ｄ、２ｅ、２ｆの高さ方向の略中央部に配設されている。
【００３３】
下方吹出口７は、底面板２ｈの奥行き方向の略中央部で接続口３側に配設され、羽根格子形吹出口（ＶＨＳ）で構成されている。下方吹出口７は、吹出口開口に所定間隔でブレード状の羽根で構成されたベーンが配設されており、ベーンを動かすことにより吹出空気の吹出方向や広がりを変えることができるようになっている。また、下方吹出口７は、羽根格子の背後に取り付けられているシャッタによって風量の調節が可能である。
【００３４】
この実施の形態によれば、下方吹出口７によって、給気チャンバ１０の下側にも送風することができる。このため、室内の広域に冷風や温風を吹き出すことができる。これにより、給気チャンバ１０の下側に空調エリアが位置する場合であっても、送風することができる。
【００３５】
また、下方吹出口７は、ベーンを動かすことにより吹出空気の吹出方向や広がりを変えることができ、シャッタによって風量の調節が可能であるので、より快適に冷風や温風を吹き出すことができる。
【００３６】
以上、この発明の実施の形態について説明したが、具体的な構成は、上記の実施の形態に限られるものではなく、この発明の要旨を逸脱しない範囲の設計の変更等があっても、この発明に含まれる。例えば、吹出口２の配置は上記に限定されず、施工する空調エリアにあわせて変更可能であることはもちろんであり、実施の形態１の給気チャンバ１に下方吹出口７を配設してもよいことはもちろんである。
【００３７】
また、給気チャンバ１の外周を保温材や断熱材、例えば、発砲体で構成されたペフで覆い、保温効果をより高めてもよい。
【符号の説明】
【００３８】
１              給気チャンバ
２              ボックス部
３              接続口
４              吹出口
５              ガイドベーン
７              下方吹出口
【図１】
2014126347.tif 000003
【図２】
2014126347.tif 000004
【図３】
2014126347.tif 000005
【図４】
2014126347.tif 000006
【図５】
2014126347.tif 000007
【図６】
2014126347.tif 000008